(57)【要約】【課題】堰板をその組立時に型枠の支持体に支持するにあたり、安定的にその支持機能を発する支持体を提供することにある。【解決手段】中心軸線Ａに沿って延在する本体１１、構造体に当接するための基部１２、固定素子のための支承部１４を有する貫通開口１３、および堰板３０のための少なくとも１つの支持面１６を備える、コンクリート型枠のための支持体において、少なくとも１つの、本体１１から突出する支持素子２０を備え、該支持素子２０は、少なくとも１つの支持面１６から遠ざかる方向へと伸長し、かつ、構造体に当接するための少なくとも１つの脚部２３を備え、支持面１６に直交する方向における支持面１６から貫通開口１３までの距離Ｆは、支持面１６に直交する方向における脚部２３から貫通開口１３までの距離Ｇよりも小さいものとする。【選択図】図２
2009257078.tif 000002
【特許請求の範囲】
【請求項１】
中心軸線（Ａ）に沿って延在する本体（１１）と、構造体に当接するための基部（１２）と、固定素子のための支承部（１４）を有する貫通開口（１３）と、堰板（３０）のための少なくとも１つの支持面（１６）とを備える、コンクリート型枠のための支持体において、
少なくとも１つの、前記本体（１１）から突出する支持素子（２０）を備え、該支持素子（２０）は、前記少なくとも１つの支持面（１６）から遠ざかる方向へと伸長し、かつ、構造体に当接するための少なくとも１つの脚部（２３）を有し、
前記支持面（１６）に直交する方向における前記支持面（１６）から前記貫通開口（１３）までの距離（Ｆ）は、前記支持面（１６）に直交する方向における前記脚部（２３）から前記貫通開口（１３）までの距離（Ｇ）よりも小さいことを特徴とする、支持体。
【請求項２】
請求項１記載の支持体において、前記支持面（１６）と前記貫通開口（１３）とに画定される平面（Ｓ）に関して鏡像対称である少なくとも２つの前記支持素子（２０）を設けたことを特徴とする支持体。
【請求項３】
請求項１または２記載の支持体において、前記支持素子（２０）は、平面的な三角形状であることを特徴とする支持体。
【請求項４】
請求項１から３までのいずれか１項に記載の支持体において、前記本体（１１）は、円形の横断面形状を有する周面（１５）を備え、前記支持素子（２０）は該周面（１５）から接線方向に突出することを特徴とする支持体。
【請求項５】
請求項１から４までのいずれか１項に記載の支持体において、基部（１２）の当接面と、前記少なくとも１つの脚部（２３）の当接面とが、同一平面（Ｅ）上にあることを特徴とする支持体。
【請求項６】
請求項１から５までのいずれか１項に記載の支持体において、少なくとも２つの前記支持素子（２０）は、筋交い（２２）によって互いに連結されていることを特徴とする支持体。
【請求項７】
請求項１記載の支持体において、鉄心材（４０）のための、少なくとも１つのブラケット（１８；１８ａ,１８ｂ）を備え、該ブラケット（１８；１８ａ,１８ｂ）は、前記支持体（１０）の周面（１５）から側方に突出することを特徴とする、支持体。
【請求項８】
請求項１記載の支持体において、前記ブラケット（１８ａ,１８ｂ）は、前記支持素子（２０）に設けられていることを特徴とする、支持体。
【発明の詳細な説明】
【技術分野】
【０００１】
本発明は、中心軸線に沿って延在する本体、構造体に当接するための基部、固定素子のための支承部を有する貫通開口、および堰板のための少なくとも１つの支持面を備える類のコンクリート型枠のための支持体に関するものである。
【背景技術】
【０００２】
特許文献１の記載するコンクリート型枠のための支持体は、円筒状の外壁を有する本体を備え、この本体は、構造体に当接するための基部を有する。外壁の中間板より上方の部分には開口が設けられ、ここにワイヤによって金網を固定することができる。外壁のその基部とは反対側の端部の端面が金網の受け面として機能する。外壁は、さらに、コンクリート型枠のための支持面も形成する。さらに、中間板の中心にはスリーブを設ける。このスリーブは、固定素子のための貫通開口を備え、支持体の固定軸線を画定するものである。
【０００３】
ところで、上述の支持体は、堰板を、その組立時に型枠の支持体に支持する際、支持体がその基部において容易に転傾しやすく、このため支持体の支持機能が害されやすいという点において問題を残している。
【先行技術文献】
【特許文献】
【０００４】
【特許文献１】欧州特許出願公開第０９７１０８４号明細書
【発明の概要】
【発明が解決しようとする課題】
【０００５】
したがって、本発明の課題は、堰板をより好適に支持する支持体を提供することにある。
【課題を解決するための手段】
【０００６】
この課題は、請求項１に記載する特徴を備える本発明に係る支持体によって解決される。これによれば、少なくとも１つの、本体から突出する支持素子を備え、該支持素子は、少なくとも１つの支持面から遠ざかる方向へと伸長し、かつ、構造体に当接するための少なくとも１つの脚部を備え、支持面に直交する方向における支持面から貫通開口までの距離は、支持面に直交する方向における脚部から貫通開口までの距離よりも小さいものである。この構成により、支持体が転倒するには大きな抵抗が発生するので、支持体の支持機能は飛躍的に向上する。
【０００７】
好適には、支持面と貫通開口とに画定される平面に関して鏡像対称になるように配置された少なくとも２つの支持素子を備える。この構成により、支持体の支持機能がさらに向上する。
【０００８】
さらに好適には、支持素子は、平面的な三角形状を有するものとする。この構成により、安定性を喪失することなく省資源化が可能となる。支持素子は、例えば壁体として構成される。
【０００９】
また、本体は、横断面形状を円形とした周面を備え、支持素子は該周面から接線方向に突出するものとしても好適である。この構成により、支持体は、堰板のための支持面に直交する一方向において幅広となり、また、支持体の全体としての横断面形状はほぼ三角形となるので、支持体の安定性がさらに向上する。
【００１０】
好適には、基部の当接面と、少なくとも１つの脚部の当接面とが同一平面上に位置する。この構成により、支持体は転傾することなく構造体の平面に当接され得る。
【００１１】
また、双方の支持素子は、筋交いによって互いに連結されていても好適である。この構成により、支持体の、支持面と貫通開口とに画定される平面Ｅに直交する方向への安定性が向上する。
【００１２】
さらに好適には、鉄心材のためのブラケットを少なくとも１つ備え、該ブラケットは、支持体の周面から側方に突出するものとする。こうすることで、支持体に強化金網を支持して縛りつけることが可能となる。
【００１３】
鉄心材のための、少なくとも１つのブラケットを備え、該ブラケットは、支持体の周面から側方に突出するものとすると技術的に簡単な形態となる。
【発明の効果】
【００１４】
かくして、本発明によれば、堰板をその組立時に型枠の支持体に支持する際、安定的にその支持機能を発する支持体を提供することができる。
【００１５】
以下、本発明の実施形態を図面に基づき詳述する。
【図面の簡単な説明】
【００１６】
【図１】本発明に係る支持体の一実施形態における外観斜視図である。
【図２】鉄心材を取付けた状態における図１に示す支持体のII-II平面での断面図である。
【図３】本発明に係る支持体の他の実施形態に鉄心材を取付けた状態における外観斜視図である。
【発明を実施するための形態】
【００１７】
図１および図２に示すのは、本発明の一実施形態における、例えば型枠支持体などの支持体１０である。支持体１０は本体を備え、この本体は、構造体（図示せず）に当接するための基部１２を有し、好適には横断面を円形とする。さらに、基部１２は、少なくとも１つの当接面を有する。本体１１は、固定素子（図示せず）のための貫通開口１３を備え、この貫通開口１３は中心軸線Ａを画定するものとする。貫通開口１３の周囲には、これを取り囲むように、固定素子のための支承部１４が形成されている。この支承部１４は、本体１１から突出するスリーブ１７に取付けられる。
【００１８】
さらに、支持体１０は、周面１５と、堰板３０のための少なくとも１つの支持面１６とを備え、この支持面１６は、少なくとも部分的に周面１５により構成されていてもよいものとする。また、支持体１０の周面１５の側方に突出するブラケット１８は、鉄心材（図２参照）のための受け面として機能する。この、ブラケット１８、もしくはブラケット１８の構成する鉄心材４０のための受け面は、ほぼ中心軸線Ａに直交して延在しており、その平面Ｅまでの距離Ｄは、支持面１６から貫通開口１３までの距離Ｆの１．５〜２倍かつ２．５ｃｍ以下とする。さらに本体１１からは、２つの張り出しとして構成された支持素子２０が支持面１６から離れる方向に突出する。これらの支持素子２０はそれぞれ脚部２３を有し、これら脚部の、構造体のための当接面は、本体１１の基部１２の少なくとも１つの当接面と同一の平面Ｅ上に位置するものとする。支持素子２０は、三角かつ平面的な形状を有しており、それぞれ開口を備え、鉄心材４０のための、例えばワイヤなどの縛結素子４１をこれらの開口を通して案内可能である（特に図２を参照）。支持素子２０は、支持面１６と貫通開口１３とに画定される平面Ｓに関して鏡像対象になるように本体に取付けられる。また、双方の支持素子２０は筋交い２２によって互いに連結され、補強しあう。同時に、ブラケット１８も筋交い２２により補強されている。
【００１９】
図２に示すように、支持面１６に当接された堰板３０によって、支持体１０には負荷（矢印５０）が働き、この負荷５０により、支持体１０は矢印５１方向に転倒したり傾むいたりしそうになる。しかし、貫通開口１３もしくは中心軸線Ａから、支持素子２０の脚部までの、負荷方向５０（つまり、支持面１６に直交する方向）における距離Ｇは、貫通開口１３（またはその中心軸線）もしくは中心軸線Ａから支持面１６までの距離Ｆよりも大きいため、前述のように支持体１０が転倒するにはこれら脚部の存在が大きすぎる抵抗となる。このとき、距離Ｇは、脚部２３の半径方向において外側の端部までの距離を指す。
【００２０】
図３に示す支持体は、図１および図２に示す支持体と異なり、独立した１つのブラケット１８の代わりに、それぞれの支持素子２０上に直接構成されたブラケット１８ａ,１８ｂを有する。双方の支持素子２０のブラケット１８ａ,１８ｂの下方にはそれぞれ開口２１が設けられており、鉄心材４０のための、例えばワイヤなどの縛結素子４１を、これらの開口２１を通して案内可能である。ブラケット１８ａ,１８ｂ、もしくは、これらに構成された鉄心材４０のための受け面から平面Ｅまでの距離Ｄは、支持面１６から貫通開口１３までの距離Ｆの１．５〜２倍に相応し（図３参照）、かつ、２．５ｃｍ以下である。
本実施形態において言及されない符号については、図１および図２について示される符号と対応するものとする。
【符号の説明】
【００２１】
１０  支持体
１１  本体
１２  基部
１３  貫通開口
１４  支承部
１５  周面
１６  支持面
１７  スリーブ
１８  ブラケット
１８ａ  ブラケット
１８ｂ  ブラケット
２０  支持素子
２１  開口
２２  筋交い
２３  脚部
３０  堰板
４０  鉄心材
４１  縛結素子
５０  負荷
５１  傾斜方向
Ａ  中心軸線
Ｄ  距離
Ｅ  平面
Ｆ  距離
Ｇ  距離
Ｓ  平面
【図１】
2009257078.tif 000003
【図２】
2009257078.tif 000004
【図３】
2009257078.tif 000005